(57)【特許請求の範囲】
【請求項１】
ボックス本体又は扉のどちらか一方に取り付ける蝶番本体のピン軸受管部に上下動自在に嵌挿した蝶番ピンの先端部を蝶番本体に軸支した支軸部を起点に起伏させるレバーにより扉又はボックス本体のどちらか一方に設けたピンホルダーに嵌合自在としたことを特徴とする蝶番。
【請求項２】
蝶番ピンの軸部にラックを形成して該ラックに噛合する小歯車をレバーの支軸部に形成した請求項１に記載の蝶番。
【請求項３】
蝶番ピンの軸部の頭部に凹部を形成して該凹部に係合する突起をレバーに形成した請求項１又は２に記載の蝶番。
【発明の詳細な説明】
【技術分野】
【０００１】
本発明は、蝶番を分離して、扉をボックス本体から容易に取り外すことのできる蝶番に関するものである。
【背景技術】
【０００２】
ボックス本体の開口を蝶番により取り付けた扉により開閉する分電盤や配電盤及び通信機器等の電気・電子機器収納ボックスは、ボックス本体内に電気・電子機器類の設置工事等において扉が邪魔となる場合には扉を外して工事作業を行い作業終了後に再度扉を取り付けることがある。
【０００３】
このような場合に、蝶番ピンを外して蝶番を分離して行うものを普通としている。そこで、蝶番ピンの着脱を容易とするものとして、一方の蝶番金具の軸筒部に摺動自在に嵌合した蝶番ピンにラックを形成して、蝶番金具に前記ラックと噛合する小歯車を設置して工具係合部を形成した該小歯車の頭部を蝶番金具の表面に露出させて、該工具係合部にドライバー等の工具を係合して小歯車を回転させて軸ピンを軸筒部内で摺動させて、他方の蝶番金具の軸受部に着脱自在としたものがある（例えば、特許文献１、２参照）。
【０００４】
ところが、前記したものは蝶番金具の表面に露出させた小歯車の頭部の工具係合部にドライバー等の工具を係合して小歯車を回転させておこなうものであるため、ドライバー等の工具を使用するための作業空間を確保するために扉を大きく開ける必要がある（特許文献１図２参照）。そのため、電気・電子機器収納ボックスの設置場所により扉を大きく例えば９０度以上に開けることができない作業空間が狭い場合には小歯車の工具係合部にドライバー等の工具を垂直に係合することが困難な場合があり、小歯車を回転させる作業が困難であった。
【０００５】
また、蝶番ピンにレバーを設けてレバーを手指で上下動させて蝶番ピンを枢着部に着脱させるものもある（例えば、特許文献３参照）。しかし、これは作業空間が狭くとも対処できるものであるが、蝶番ピンを摺動させる際に摩擦力が大きいと作業が大変であった。
【特許文献１】特許第２９９６６２６号公報
【特許文献２】特開２００２−１０６２３９公開公報
【特許文献３】特開２０００−３１００８２公開公報
【発明の開示】
【発明が解決しようとする課題】
【０００６】
本発明は前記のような従来の問題点を解決して、工具を使用せず容易に場所とることなく蝶番ピンを着脱できる蝶番を提供することである。
【課題を解決するための手段】
【０００７】
本発明の蝶番は、ボックス本体又は扉のどちらか一方に取り付ける蝶番本体のピン軸受管部に上下動自在に嵌挿した蝶番ピンの先端部を蝶番本体に軸支した支軸部を起点に起伏させるレバーにより扉又はボックス本体のどちらか一方に設けたピンホルダーに嵌合自在としたことを特徴とするものを基本の発明とする。
【０００８】
この発明において、蝶番ピンの軸部にラックを形成して該ラックに噛合する小歯車をレバーの支軸部に形成させることが好ましい。また、蝶番ピンの軸部の頭部に凹部を形成して該凹部に係合する突起をレバーに形成することがより好ましいものである。
【発明の効果】
【０００９】
前記した本発明の蝶番は、例えば、ボックス本体に蝶番本体を取り付け、扉にピンホルダーを取り付ければ、蝶番本体はピン軸受管部に上下動自在に嵌挿した蝶番ピンの先端部を蝶番本体に軸支した支軸部を支点に起伏させるレバーによりピンホルダーに嵌合自在としたものであるから、工具を使用せず手指によるレバーの操作により蝶番ピンの先端部をピンホルダーに軸支させれば扉はボックス本体に開閉自在に取り付けられることになる。
【００１０】
このように開閉自在に取り付けた扉が、ボックス本体内に電気・電子機器類の設置工事等において邪魔となる場合には、レバーを操作して蝶番ピンの先端部のピンホルダーへの軸支を解除することにより容易に行うことがきる。この場合にレバーは蝶番本体に軸支した支軸部を支点に起伏させるものであるので工具を使用せず手指による小さな力で容易に操作できるものである。また、再度扉を取り付ける作業も工具を使用せず手指により容易なものである。
【００１１】
また、蝶番ピンの軸部にラックを形成して該ラックに噛合する小歯車をレバーの支軸部に形成させたものにあっては、より小さな力によりレバーの操作ができるものである。さらに、蝶番ピンの軸部の頭部に凹部を形成して、該凹部に係合する突起をレバーに形成したものとすれば、輸送時の振動や不慮の外力に対してレバーが回動することなく、意図せず蝶番ピンが外れるのを確実に防止できるものである。
【発明を実施するための最良の形態】
【００１２】
次に、本発明の好ましい実施形態を図に基づき説明する。
〔第１の実施形態〕
先ず、図１〜図１３に示す第１の実施形態につき説明する。
１はボックス本体１００又は扉１０１のどちらか一方に取り付ける蝶番本体であり、本実施形態ではボックス本体１００に取り付けられている。この蝶番本体１は、取付板部１１の側縁に折曲形成した側板部１２の先端から前記取付板部１１に平行に連設したピン軸支持板部１３の先端にピン軸受管部１ａを形成したものである。そして、ピン軸受管部１ａには上下動自在に蝶番ピン２が嵌挿されている。
【００１３】
蝶番ピン２は、蝶番本体１に軸支した支軸部３１を起点に起伏させるレバー３によりその先端部２ａをピン軸受管部１ａより出没自在として、扉１０１又はボックス本体１００のどちらか一方に取り付けるピンホルダー４に嵌合自在とされている。本実施形態ではピンホルダー４は扉１０１に取り付けられている。
【００１４】
この実施形態においては図３〜図６に示すように、蝶番ピン２の先端部２ａをピン軸受管部１ａより出没自在とするレバー３は、支軸部３１に小歯車３１ａを形成して蝶番ピン２の軸部２１に設けたラック２１ａと噛合させたものである。これにより、レバー３を支軸部３１を起点に起伏させれば小歯車３１ａが回動してこれに噛合しているラック２１ａにより蝶番ピン２はその先端部２ａをピン軸受管部１ａより出没自在としてピンホルダー４に嵌合自在となるものである。また、レバー３は本体部３ａに対し略９０度に折り曲げた取手部３ｂを有し、取手部３ｂの裏面には、蝶番ピン２の頭部に形成した凹部２ｃに係合する突起３ｃが設けられている。
【００１５】
なお、蝶番本体１はピンホルダー４を上に載せて扉１０１の重量を支えるものにあっては、図１―図６に示すように蝶番ピン２の先端部２ａをレバー３により上向きに出没自在としている。また、扉１０１が上方に移動するのを規制するために蝶番本体１がピンホルダー４の上部に位置するものにあっては、図７―図９に示すように蝶番ピン２の先端部２ａをレバー３により下向きに出没自在としている。
【００１６】
また、前記ピンホルダー４は断面Ｌ字状の本体４１の上下に孔４２ａを透設した上下板部４２、４２を設けたもので、蝶番ピン２の先端部２ａが上向き下向きの何れの方向にも出没自在なものにも対応できるものとしている。なお、ピンホルダー４はこれに限ることなく筒状に形成したものでもよい。
【００１７】
このように構成されたものは、図１０、図１１に示すようにボックス本体１００に蝶番本体１を上下に複数個すなわち上部のものは蝶番ピン２を下向きに出没自在としたものを中間及び下部のものは蝶番ピン２を上向きに出没自在としたものを３個取り付け、扉１０１には同じく３個のピンホルダー４を取り付けて、図２、図７及び図１１に示すように蝶番本体１のレバー３を蝶番ピン２の先端がピン軸受管部１ａに没入した状態すなわち、この実施形態ではレバー３の取手部３ｂを蝶番ピン２の先端側に移動させる。そして、扉１０１に取り付けたピンホルダー４がピン軸受管部１ａの先端に臨む位置になるように扉１０１を移動させて、その後にレバー３を工具を使用せず手指により操作して該レバー３の支軸部３１を回動させれば小歯車３１ａと噛合っているラック２１ａにより蝶番ピン２の先端部２ａがピン軸受管部１ａより張出してピンホルダー４に嵌合して蝶番が連結されて扉１０１は図１２、図１３に示すようにボックス本体１００に開閉自在に取り付けられることとなる。さらに、図９に示すように、蝶番ピンの頭部に形成した凹部２ｃとレバー３の突起３ｃとを係合させることにより、不慮の外力等が働いてもレバー３が回動することを防止することを可能にできるものである。
【００１８】
そして、扉１０１がボックス本体１００内に電気電子機器類の設置工事等において邪魔となる場合には、工具を使用せず手指によりレバー３を逆方向に操作して小歯車３１ａを逆回動させて噛合っているラック２１ａにより蝶番ピン２の先端部２ａをピン軸受管部１ａに没入させてピンホルダー４への軸支を解除することにより容易に行うことがきる。この場合にレバー３は蝶番本体１に軸支した支軸部３１を起点に起伏させるものであるので小さな力で容易に操作できるものである。また、再度扉を取り付ける作業も工具を使用せず手指により容易に行えるものである。
【００１９】
〔第２の実施形態〕
続いて、図１４―図１６に示す第２の実施形態につき説明する。
この実施形態は、蝶番本体１が取付板部１１の側縁に折曲形成した側板部１２の先端から前記取付板部１１に平行に連設したピン軸支持板部１３の先端にピン軸受管部１ａを形成したものであって、ピン軸受管部１ａには上下動自在に蝶番ピン２が嵌挿されており、さらに、蝶番ピン２が蝶番本体１に軸支した支軸部を起点に起伏させるレバー３によりその先端部２ａをピン軸受管部１ａより出没自在として、ピンホルダー４に嵌合自在とされるものであることは前記第１の実施形態と同様である。
【００２０】
しかしながら、この実施形態のものは、蝶番ピン２が蝶番本体１に軸支した支軸部を起点に起伏させるレバー３によりその先端部２ａをピン軸受管部１ａより出没自在とする具体的手段が相違するものである。すなわち、レバー３は中間部を支軸部である軸ピン３３により蝶番本体１に軸支して先端部に設けた長孔３４に、ピン軸受管部１ａに透設した上下方向の長孔１ｂから突出させた蝶番ピン２の腕部２２を遊嵌したものである。
【００２１】
そして、レバー３を軸ピン３３を支点に起伏させればレバー３の先端部が上下動してこれに伴ない該先端部の長孔３４に遊嵌されている蝶番ピン２の腕部２２がピン軸受管部１ａに透設した上下方向の長孔１ｂ内を上下動して腕部２２を突設した蝶番ピン２も上下動して蝶番ピン２の先端部２ａがピン軸受管部１ａより出没してピンホルダー４に嵌合自在となり、蝶番を容易に連結・分離して扉１０１のボックス本体１００の着脱を容易に行うことができるものであるうえ、第１の実施形態のような蝶番ピン２のラックや該ラックに噛合する小歯車を設ける必要がないので製造コストを安くすることができるものである。
【００２２】
また、この実施形態おいても第１の実施形態と同様に、レバー３の取手部３ｂの裏面には、蝶番ピン２の頭部に形成した凹部２ｃと係合する突起３ｃが設けられていて、不慮の外力等が働いてもレバー３が回動することを防止できるものが好ましい。なお、その他の構成及び作用は第１の実施形態と同様であるのでその説明を援用する。また、図示の蝶番本体１は蝶番ピン２の先端部２をレバー３により下向きに出没自在としているが、蝶番ピン２の先端部２ａをレバー３により上向きに出没自在としたものを採用することは勿論である
【図面の簡単な説明】
【００２３】
【図１】本発明の第１の実施形態に使用する蝶番本体とピンホルダーを組み合せて示す斜視図。
【図２】本発明の第１の実施形態に使用する蝶番本体とピンホルダーを分離して示す斜視図。
【図３】本発明の第１の実施形態に使用する蝶番本体を示す一部切欠正面図。
【図４】本発明の第１の実施形態に使用する蝶番本体を示す平面図。
【図５】図４のＡ−Ａ断面図。
【図６】本発明の第１の実施形態に使用する蝶番本体を態様を異にして示す一部切欠正面図。
【図７】本発明の第１の実施形態に使用する他の蝶番本体を示す斜視図。
【図８】本発明の第１の実施形態に使用する他の蝶番本体を態様を異にして示す正面図。
【図９】本発明の第１の実施形態に使用する他の蝶番本体を態様を異にして示す斜視図。
【図１０】本発明に係る蝶番によりボックス本体に扉を取り付ける工程を示す斜視図。
【図１１】本発明に係る蝶番によりボックス本体に扉を取り付ける工程を示す要部の斜視図。
【図１２】本発明に係る蝶番によりボックス本体に扉を取り付けた状態を示す斜視図。
【図１３】本発明に係る蝶番によりボックス本体に扉を取り付けた状態を示す要部の斜視図。
【図１４】本発明の第２の実施形態に使用する蝶番本体を示す斜視図。
【図１５】本発明の第２の実施形態に使用する蝶番本体を態様を異にして示す斜視図。
【図１６】本発明の第２の実施形態に使用する蝶番本体を態様を異にして示す正面図。
【符号の説明】
【００２４】
１  蝶番本体
1a  ピン軸受管部
２  蝶番ピン
2a  先端部
３  レバー
31  支軸部
４  ピンホルダー
【図１】
0004771474.tif 000002
【図２】
0004771474.tif 000003
【図３】
0004771474.tif 000004
【図４】
0004771474.tif 000005
【図５】
0004771474.tif 000006
【図６】
0004771474.tif 000007
【図７】
0004771474.tif 000008
【図８】
0004771474.tif 000009
【図９】
0004771474.tif 000010
【図１０】
0004771474.tif 000011
【図１１】
0004771474.tif 000012
【図１２】
0004771474.tif 000013
【図１３】
0004771474.tif 000014
【図１４】
0004771474.tif 000015
【図１５】
0004771474.tif 000016
【図１６】
0004771474.tif 000017